(57)【要約】【課題】門扉パネルにおいて、施錠装置を安全に位置調整できる門扉を提供する。【解決手段】一対の門柱１０，１０と、一方の門柱１０に取付けられた開閉可能な門扉パネル２０と、門扉パネル２０の表裏方向に貫通する軸部４１と、軸部４１に固定される錠部４０と、錠部４０を引っ掛けて固定する錠受け部５０とを備えた門扉Ｐであって、錠部４０は、軸部４１が貫通可能であって異なる位置に設けられた固定孔４３，４４を備え、一方の固定孔を貫通した軸部４１の貫通を許容する孔部４５と軸部４１が貫通していない他方の固定孔を塞ぐ隠蔽部４６とを有する座金４７と、軸部４１に取付けられるナット６０とによって、錠部４０が軸部４１に固定されるように構成する。【選択図】        図１
2019194413.tif 000002
【特許請求の範囲】
【請求項１】
一対の門柱と、前記一方の門柱に取付けられた開閉可能な門扉パネルと、前記門扉パネルの表裏方向に貫通する軸部と、前記軸部に固定される錠部と、前記錠部の錠受け部とを備えた門扉であって、
前記錠部は、前記軸部が貫通可能であって異なる位置に設けられた第一の固定孔と第二の固定孔とを備え、
前記一方の固定孔を貫通した軸部の貫通を許容する孔部と前記軸部が貫通していない他方の固定孔を塞ぐ隠蔽部とを有する座金と、
前記軸部に取付けられる抜け止め部材とによって、前記錠部が前記軸部に固定されていることを特徴とする門扉。
【請求項２】
前記錠部は、前記座金を所定の位置に誘導するガイド部を備えていることを特徴とする請求項１に記載の門扉。
【発明の詳細な説明】
【技術分野】
【０００１】
本発明は、門扉に関するもので、更に詳しくは、門扉の施錠装置に関する。
【背景技術】
【０００２】
住宅、工場、公園等の敷地境界部や隣地境界部に沿って取付けられるフェンスや塀において、人や自動車等が通行できるように門扉が設けられている。一般的には、門の両側に門柱が立設され、門柱に回動可能に門扉パネルが取付けられており、門扉パネルの回動操作によって開閉できる形態のものが多く用いられている。
【０００３】
門扉の形態としては、一枚パネルからなる片開き門扉と、二枚パネルからなる両開き門扉が多く用いられている。片開き門扉は、一般には、二本の門柱間に門扉パネルが配置され、門扉の吊り元側がヒンジ等によって一方の門柱に回動可能に固定されており、門扉の反対側には、他方の門柱との間で施錠するための施錠装置が取付けられている。
【０００４】
施錠装置としては、いわゆる、シリンダー錠タイプ、回転錠タイプ、閂タイプ等を挙げることができるが、この中で、回転錠タイプは比較的重量が軽く、操作性も優れており、広く用いられている。
【０００５】
門扉を施工する際は、一般には、二本の門柱を施工した後、門扉パネルを取付けられるため、門柱の僅かな施工誤差により、門柱間の間隔が狭くなったり、広くなったりすることがあり、このような寸法誤差を吸収する機構が設けられている。
【０００６】
例えば、特許文献１には、門柱に固定された取付け板と、扉の枢支側基端に固定された載せ板とによって構成され、取付け板と載せ板の何れか一方に突設した支持軸を、他方に開設した受け孔に回転可能に嵌めた門扉取付け金具において、取付け板は、一端に支持軸又は受け孔を具え且つ板の表裏を貫通して横長の長孔を開設した取付け板本体と、門柱に固定され板面の略中央部の両側にネジ穴を開設したベース板との組合せからなり、取付け板本体の長孔に挿通したビスをベース板のネジ穴に螺合している門扉取付け金具が提案されている。
【０００７】
また、本出願人においても、門柱に対して門扉を回動可能に取付けるための門扉用ヒンジであって、回動自在に接続された二個の取付片を備え、それぞれの取付片は、水平方向に延設された取付長孔に挿通された取付ボルトにより、門柱及び門扉のそれぞれに取付けられ、前記取付長孔は、取付ボルトが嵌合して水平方向に移動不能となる複数の広幅部からなる門扉用ヒンジを提案している。
【先行技術文献】
【特許文献】
【０００８】
【特許文献１】登録実用新案第３０１４９４７号
【特許文献２】特開２００７−３０８９２６号公報
【発明の概要】
【発明が解決しようとする課題】
【０００９】
ところで、上記のようなヒンジを用いることによって、門柱間に配置された門扉パネルを吊り元側にも、その反対の施錠装置側にも、移動させて位置調整することができる。しかしながら、施錠側においては、錠と錠受けとの位置関係を所定の範囲となるように調整する必要があり、施錠側においても幅方向の位置調整機能が求められているが、ヒンジのように単に横長孔を採用するだけでは、位置調整は可能であっても、調整後は横長孔に隙間が生じうる。施錠側は通行人等が触れる機会が多いため、横長孔に触れたり、挟まれたりするおそれがあった。
【００１０】
本発明は、前記の如き問題点を解消し、門扉パネルにおいて、施錠装置を安全に位置調整できる門扉を提供せんとするものである。
【課題を解決するための手段】
【００１１】
上記目的を達成するために、本発明は次のような構成としている。すなわち本発明に係る門扉は、一対の門柱と、前記一方の門柱に取付けられた開閉可能な門扉パネルと、前記門扉パネルの表裏方向に貫通する軸部と、前記軸部に固定される錠部と、前記錠部の錠受け部とを備えた門扉であって、前記錠部は、前記軸部が貫通可能であって異なる位置に設けられた第一の固定孔と第二の固定孔とを備え、前記一方の固定孔を貫通した軸部の貫通を許容する孔部と前記軸部が貫通していない他方の固定孔を塞ぐ隠蔽部とを有する座金と、前記軸部に取付けられる抜け止め部材とによって、前記錠部が前記軸部に固定されていることを特徴とするものである。
【００１２】
本発明において、錠部は、前記座金を所定の位置に誘導するガイド部を備えたものとしてもよい。
【発明の効果】
【００１３】
本発明によれば、錠部は、前記軸部が貫通可能であって異なる位置に設けられた第一の固定孔と第二の固定孔とを備え、前記一方の固定孔を貫通した軸部の貫通を許容する孔部と前記軸部が貫通していない他方の固定孔を塞ぐ隠蔽部とを有する座金と、前記軸部に取付けられる抜け止め部材とによって、前記錠部が前記軸部に固定されているので、軸部が第一の貫通孔、第二の貫通孔、いずれを貫通しても、貫通していない方の孔は座金の隠蔽部で塞がれており、使用者が誤って孔部付近に触れることがなく、外観上もすぐれたものとなる。
【００１４】
本発明において、錠部は、前記座金を所定の位置に誘導するガイド部を備えたものとすれば、座金が取付けやすくなるとともに、座金取付け後は、ガイド部によって、所定の位置を維持することができるので、座金が固定部材を軸として回動することによって、隠蔽部の位置がずれて、塞がれていた孔部が現れるような不具合を抑えることができる。
【図面の簡単な説明】
【００１５】
【図１】本発明に係る門扉の実施の一形態を示す正面図である。
【図２】図１の平面図である。
【図３】図１のＡ−Ａ線の要部拡大断面図である。
【図４】図３のＢ−Ｂ線の要部拡大断面図である。
【図５】図１の錠受け付近の説明図である。
【図６】図１の錠部付近の主要部の拡大図である。
【図７】錠部付近の他の実施形態を示す説明図である。
【図８】錠部の説明図である。
【図９】錠部付近の更に他の実施形態を示す説明図である。
【図１０】本発明に係る門扉の他の実施形態を示す正面図である。
【図１１】図１０の戸当り付近の分解説明図である。
【図１２】図１０のＣ−Ｃ線の要部拡大断面図である。
【発明を実施するための形態】
【００１６】
次に、本発明を実施するための最良の形態について図面を参照し、具体的に説明する。
【００１７】
図１は本発明に係る門扉Ｐの実施の一形態を示す正面図、図２は図１の平面図であって、（ａ）は門扉パネル２０の回動操作の説明図、（ｂ）は門扉パネル２０が閉まった状態を示す説明図ある。すなわち、門扉Ｐは、通路の両端に位置する一対の門柱１０，１０と、一方の門柱１０にヒンジ３０を介して回動可能に取付けられた門扉パネル２０とを備えている。門扉パネル２０は回動側端部に錠部４０が取付けられている。また、他方の門柱１０は、錠部４０が掛止される錠受け部５０を有しており、門柱１０，１０の間に門扉パネル２０が左開きで配置されている。なお、図１において、門扉Ｐの手前側を前側、奥側を後側として説明するが、例えば、道路と敷地の境界部に本発明に係る門扉を設置する場合、手前側を敷地側となるようにしてもよく、奥側を敷地側となるようにしてもよい。
【００１８】
門柱１０は、本形態では、表面に塗装した丸パイプ状の鋼管の下端部を設置面に埋設して立設したものであって、上端部にはキャップが取付けられている。門柱１０は、本形態に限られるものではなく、例えば、形状としては角パイプ状のものでもよく、材質としてはアルミニウム合金製のものでもよい。本形態では、左右の門柱１０，１０は同じ使用であるが、必要に応じて、異なる材料を用いてもよく、異なる断面形状でもよい。
【００１９】
門扉パネル２０は、図１に示すように、左右一対の縦枠材２１，２２と、その間に取付けられたパネル材２３とを備えている。また、図２に示すように、縦枠材２１は、ヒンジ３０を介して門柱１０に連結されており、これにより、門扉パネル２０が門柱１０に対して、Ｒ１方向又はＲ２方向に回動可能となされる。
【００２０】
図３は図１のＡ−Ａ線の要部拡大断面図である。錠部４０は、門扉パネル２０の回動側端部に取付けられており、門扉パネル２０を前後方向に貫通して配置された棒状の軸部４１の前後端部にそれぞれに取付けられている。本形態においては、軸部４１は、門扉パネル２０の縦枠材２２を前後方向に貫通する貫通孔（図示せず）を挿通しており、前後の錠部４０は軸部４１を軸として回動可能となされている。
【００２１】
錠部４０は、前後方向に薄い長板状であって、長手方向の一端部で軸部４１に固定され、長手方向の他端部は門扉パネル２０から離れる方向に折り曲げられた折曲部４２を有しており、断面略Ｌ字状に形成されている。
【００２２】
本形態では、図３に示すように、門扉パネル２０は戸当り２４を備えており、門柱１０は戸当り２４を受ける受け部材１１を備えている。戸当り２４は、門扉パネル２０の前側に取付けられており、一端部が門扉パネル２０の縦枠材２２に固定されており、他端部は弾性部材２５を備え、弾性部材２５が受け部材１１と当接して、門扉パネル２０が閉じられる。
【００２３】
図４は図３のＢ−Ｂ線の要部拡大断面図、図５は図１の錠受け付近の説明図である。錠受け部５０は、錠部４０を引っ掛けて固定するためのであって、門柱１０の前後両側に取付けられており、本形態では、門柱１０の固定される基部５１と、基部５１から外方に向かって形成された縦板状の受部５２と、受部５２において、上方に開口して切り欠かれており錠部４０が開口側から挿入可能であって挿入された錠部４０が配置される切欠部５３とを備えている。切欠部５３はＵ字状に形成されており、本形態では、錠部４０の前後方向の厚さが４ｍｍに対して、切欠部５３の幅は１４ｍｍである。
【００２４】
切欠部５３内に錠部４０が配置された際、折曲部４２は受部５２を間にして門扉パネル２０の反対側に位置している。そして、折曲部４２と受部５２はそれぞれ貫通孔４２ａ、５２ａを有しており、南京錠（図示せず）等を掛けることによって、錠部４０を切欠部５３内に保持し、門扉Ｐを施錠することができる。
【００２５】
図６〜図９は錠部４０の説明図であって、図６は図１の錠部４０付近の説明図である。ここで、門扉Ｐの施工においては、一般には一対の門柱１０を施工した後に門扉パネル２０を取付けることが多いので、門柱１０の僅かな施工誤差により、所定の間隔に対して門柱１０同士の間隔が狭くなったり、広くなったりする恐れがある。特に広くなった場合は、門扉パネル２０が相対的に吊り元側に移動し、それに伴い、折曲部４２が受部５２に近づき、錠部４０を回動させた際、折曲部４２が受部５２に接触したり、折曲部４２が受部５２よりも門扉パネル２０側に位置したりして施錠できなくなるおそれがある。
【００２６】
そこで、折曲部４２と受部５２との距離Ｌは、通常は、所定の距離よりはやや広めであって、かつ、南京錠等による施錠が可能なものとすることによって、上記のような不具合を抑えることができる。
【００２７】
一方、門柱１０の僅かな施工誤差により、門柱１０同士の間隔が狭くなると、図7に示すように、錠部４０を錠受け部５０に引っ掛けた際、折曲部４２は図中の破線の位置に対して、Ｙ１方向に受部５２から相対的に離れてしまって、南京錠等が届かずに施錠できなく恐れがある。
【００２８】
図８は錠部４０の説明図である。上記不具合を解消するために、図８に示すように、錠部４０は、軸部４１に対して門扉パネル２０の幅方向である左右方向に位置調整できるように取付けられている。具体的には、錠部４０は、軸部４１に固定するために、錠部４０の長手方向に間隔をあけて設けられた第一の固定孔４３と第二の固定孔４４とを備えている。これにより、図８の（ａ）に示すように、軸部４０は、固定孔４３に軸部４１を通して固定するか、図８の（ｂ）に示すように、固定孔４４に軸部４１を通して固定することができる。
【００２９】
第一の固定孔４３が折曲部４２に近い方に位置しているので、軸部４１を第一の固定孔４３に通して錠部４０を固定すると折曲部４２は受部５２から相対的に近づき、軸部４１を第二の固定孔４４に通して錠部４０を固定すると、折曲部４２は受部５２から相対的に離れる。したがって、通常は、図６に示すように、軸部４１を第二の固定孔４４に通した位置を標準としておき、図７に示すように、折曲部４２が受部５２から相対的に離れてしまう場合は、軸部４１を第一の固定孔４３に通すことによって、図９に示すように、折曲部４２が受部５２に近づき、南京錠等が施錠できる距離にすることができる。
【００３０】
軸部４１を、第一の固定孔４３、第二の固定孔４４のいずれに通しても、他方の固定孔は空いた状態となる。門扉Ｐを施錠する際、錠部４０は、利用者が直接触る箇所であるので、空いたままの固定孔が存在すると、そこに触れてけがをする恐れがある。
【００３１】
これを防ぐために、図８に示すように、一方の固定孔を通った軸部４１の貫通を許容する孔部４５と軸部４１が貫通していない他方の固定孔を塞ぐ隠蔽部４６とを有する座金４７を用いている。具体的には、錠部４０の第一の固定孔４３，第二の固定孔４４のいずれか一方に軸部４１を通し、更に軸部４１を孔部４５に通すとともに、他方の固定孔の前側に隠蔽部４６を配置する。続いて、軸部４１の先端に、抜け止め部材を取り付ける。本形態では、軸部４１の先端部はねじ部４１ａが形成されており、このねじ部４１ａに抜け止め部材としてのナット６０を螺着することによって、軸部４１に錠部４０を固定する。併せて、図６，図７，図９に示すように、前側からは軸部４１が通っていない貫通孔が隠蔽部４６によって塞がれて見えなくなる。
【００３２】
図６においては、軸部４１を第二の固定孔４４に通しており、第一の固定孔４３を座金４７の隠蔽部４６で塞いだものであるが、錠部４０の折曲部４２を受部５２に接近させて配置したいときは、図８に示すように、座金４７を反転して、軸部４１が通る第一の固定孔４３の位置に孔部４５を配置し、第二の固定孔４４を隠蔽部４６で塞げばよい。
【００３３】
更に、錠部４０の幅方向の一端部には、長手方向に沿って、表側に突出するガイド部としての突条４８が設けられている。この突条４８に沿って座金４７を配置すれば、錠部４０の幅方向において、第一の固定孔４３と孔部４５との位置を合わせることができるので、座金４７を突条４８に沿って錠部４０の長手方向に移動させて第一の固定孔４３と孔部４５の位置を合わせて、軸部４１を通すことができる。また、前記のように、座金４７を反転させて利用する場合であっても、第二の固定孔４４と孔部４５との位置合わせをすることができる。
【００３４】
そして、軸部４１に錠部４０を固定した後は、軸部４１に対する座金４７の回動が、突条４８により抑えられるので、隠蔽部４６が塞いでいる固定孔からずれて、正面視において固定孔の一部が露出するような不具合を抑えることができる。
【００３５】
本形態では、錠部４０の幅方向の他端部にも、上記と同様な突条４９が設けられており、突条４８、４９の間に配置することで、第一の固定孔４３と孔部４５との位置合わせが容易となる。また、軸部４１に錠部４０を固定した後の座金４７の位置ずれを効果的に抑えることができる。なお、本形態では、突条４８，４９が倒Ｕ字状に連続して形成されており、その内部に座金４７が嵌まるようになされている。
【００３６】
図１０〜図１２は、本発明に係る門扉Ｐの更に他の実施形態を示す説明図であって、図１０は本形態に係る門扉Ｐの正面図、図１１は戸当り２４付近の分解説明図、図１２は図１０のＣ−Ｃ線の要部拡大断面図である。
【００３７】
本形態の門扉Ｐに係る戸当り２４は、図１，図３等に示された戸当り２４と比べると、主に、門扉パネル２０に対する取付構造が異なり、それについて説明する。それ以外で、既に説明した内容と同じ構成要素には同じ符号を付し、その説明は省略する。
【００３８】
戸当り２４は、門扉パネル２０の縦枠材２２の前側に固定されている。具体的には、戸当り２４は、縦板状の固定部２４ａを有しており、固定部２４ａは、縦枠材２２の上下方向に沿って形成されている。固定部２４ａは、所定の高さ位置に前後方向に貫通する横長孔２４ｂを複数個有している。横長孔２４ｂは、ビスＢを介して、縦枠材２２の所定の位置に掲載されたビス孔２２ａに螺着されることにより固定される。また、軸部４１が配置される位置には、横長孔２４ｃが形成されており、軸部４１が前後方向に貫通可能となされている。
【００３９】
これにより、戸当り２４は、横長孔２４ａを通ってビスＢがビス孔２２ａに螺着できる範囲で左右方向に移動させることができる。そして、弾性部材２５が門柱１０の受け部材１１に当接し、前側から見て、門柱１０と縦枠材２２との間の隙間が覆われるように、位置調整することができる。
【００４０】
本形態において、門扉パネル２０を門柱１０，１０間に取付ける際、まずは、ヒンジ３０を介して、門扉パネル１０の縦枠材２１と門柱１０とを連結し、門柱１０に対して門扉パネル２０を回動可能に取付ける。続いて、門扉パネル２０を閉じる位置まで回動させて、縦枠材２２と反対側の門柱１０との隙間が覆われるように戸当り２４を左右方向に位置調整して配置し、ビスＢを介して縦枠材２２に戸当り２４を固定する。続いて、軸部４１を縦枠材２２及び戸当り２４を前後方向に貫通させて配置し、錠部４０を錠受け部５０に引っ掛けた際、南京錠等が施錠できるように、錠部４０の第一の固定孔４３又は第二の固定孔４４のいずれかに軸部４１を通して該軸部４１の両端に錠部４０を固定する。
【００４１】
これにより、錠部４０側の門扉パネル２０と門柱１０との隙間を戸当り２４によって確実に塞ぎつつ、錠受け部５０に錠部４０を引っ掛けた際、南京錠等で確実に施錠することができる。なお、本形態においては、門扉パネル２０は前側に開くので、戸当り２４は縦枠材２２の前側に固定されているが、門扉パネル２０が後側に開く場合は、戸当り２４は他枠材２２の後側に固定してもよい。
【００４２】
以上、本発明の門扉について、実施形態に基づいて説明したが、本発明は、これらの実施形態に限定されるものではない。本発明の要旨を逸脱しない範囲内で当業者が思いつく各種変形を施したものも本発明の範囲内に含まれる。具体的には、門柱１０を左側として門扉パネル２０が右開きとしたものや、門扉パネル２０を二枚用いた両開き門扉において、一方の門扉パネル２０に錠部４０を取付け、他方の門扉パネル２０に錠受け５０を取付けたものも含まれる。
【産業上の利用可能性】
【００４３】
本発明によれば、門扉を施錠する際に、回転錠の施錠操作が容易であって、しかも、施錠後に門扉パネルのばたつきが生じにくい門扉を提供することができるので、片開き門扉、両開き門扉問わず、門扉として好適に利用できる。
【符号の説明】
【００４４】
１０  門柱
１１  受け部材
２０  門扉パネル
２１、２２  縦枠材
２２ａ  ビス孔
２３  パネル材
２４  戸当り
２４ａ  固定部
２４ｂ，２４ｃ  横長孔
２５  弾性部材
３０  ヒンジ
４０  錠部
４１  軸部
４１ａ  ねじ部
４２  折曲部
４２ａ  貫通孔
４３  第一の固定孔
４４  第二の固定孔
４５  孔部
４６  遮蔽部
４７  座金
４８，４９  突条
５０  錠受け部
５１  基部
５２  受部
５２ａ  貫通孔
５３  切欠部
６０  ナット
Ｂ    ビス
Ｐ    門扉
【図１】
2019194413.tif 000003
【図２】
2019194413.tif 000004
【図３】
2019194413.tif 000005
【図４】
2019194413.tif 000006
【図５】
2019194413.tif 000007
【図６】
2019194413.tif 000008
【図７】
2019194413.tif 000009
【図８】
2019194413.tif 000010
【図９】
2019194413.tif 000011
【図１０】
2019194413.tif 000012
【図１１】
2019194413.tif 000013
【図１２】
2019194413.tif 000014